【手続補正書】
【提出日】平成20年1月15日(2008.1.15)
【手続補正１】
【補正対象書類名】明細書
【補正対象項目名】特許請求の範囲
【補正方法】変更
【補正の内容】
【特許請求の範囲】
【請求項１】  ロールを形成するように、コア上にウエブ材を巻き取らせる巻取り装置であって、
所定の供給速度でウエブ材を供給するための供給手段と、
前記供給速度に実質的に対応した周速度で回転し、また，ウエブ材のためのガイドを構成している巻取りドラムと、
コアをグリップするためのグリッブ手段と、
コアの受取り位置から始まりロールの解放位置で終わり、前記巻取り装置上に案内されたウエブ材に対するコアの最初の接触位置と、最終巻取り位置とに延びている動作路に沿ってコアを移動させる手段と、
ウエブ材をコア上に巻き取らせてロールを形成するように、コアを制御されて回転させるための手段とを具備する装置において、
最初の接触位置と最終巻取り位置との間に規定された、動作路の拡大位置にある間、ロールが巻取りドラム上に支持されながら、コア上へのウエブ材の巻取りが生じるように、コアに影響を及ぼす手段を具備し、また、前記グリップ手段は、コアが動作路に位置しているときにコアの両端部と関連される1対の対向したピンを有することを特徴とする装置。
【請求項２】  前記受取り位置にコアを位置させるための供給装置を具備する請求項１の巻取り装置。
【請求項３】  前記巻取りロールの解放のための位置でコアを解放するための手段を具備する請求項１もしくは２の巻取り装置。
【請求項４】  前記巻取りドラムは、ウエブ材の供給速度と実質的に対応するか、早いか、遅い周速度を有するように制御された方法で、動作される請求項１ないし３のいずれか１の巻取り装置。
【請求項５】  前記巻取りドラムは、第２の巻取りドラムを有する１セットの巻取りドラムのうちの第１の巻取りドラムであり、前記第２の巻取りドラムは、第１の巻取りドラムから離間されている請求項１ないし４のいずれか１の巻取り装置。
【請求項６】  前記第１の巻取りドラムと第２の巻取りドラムとの間の距離は、コアの横方向のサイズに実質的に対応している請求項５の巻取り装置。
【請求項７】  動作路の拡大位置にある間、ロールが第１の巻取りドラム第２の巻取りドラムとの両方に上に支持されながら、コア上へのウエブ材の巻取りが生じるように、コアに影響を及ぼす手段を具備する請求項５もしくは６の巻取り装置。
【請求項８】  前記第２の巻取りドラムは、ウエブ材の供給速度と実質的に対応するか、早いか、遅い周速度を有するように制御された方法で、動作される請求項５ないし７のいずれか１の巻取り装置。
【請求項９】  前記コアは、筒状のコアである請求項１ないし８のいずれか１の巻取り装置。
【請求項１０】  前記コアをグリップするための手段は、筒状のコアの両端部内と動作的に関連し得る互いに対向したピンを有する請求項９の巻取り装置。
【請求項１１】  前記ピンの各々は、円錐台形の挿入端部を有する請求項１０の巻取り装置。
【請求項１２】  前記ピンの各々は、筒状のコアの壁の内面と係合する保持手段を有する請求項１０もしくは１１の巻取り装置。
【請求項１３】  前記保持手段は、前記ピンに形成された少なくとも１つの細長いチャンネル内に収容された少なくとも１つの弾性拡張装置を有し、この装置は、ピンが抜け出るのに反するように機能するブレード形状部材を好ましくは有する請求項１２の巻取り装置。
【請求項１４】  前記グリップ手段は、前記コアを回転させるための手段と動作的に関連されている請求項１ないし１３のいずれか１の巻取り装置。
【請求項１５】  前記コアを回転させるための手段の各々は、ウエブ材の供給速度と実質的に対応するか、早いか、遅いロールの周速度を達成するように制御される請求項１ないし１４のいずれか１の巻取り装置。
【請求項１６】  前記コアを回転させる手段は、制御された方法で動作される電動モータを有する請求項１５の巻取り装置。  
【請求項１７】  前記電動モータは、制御装置に動作的に接続されている請求項１６の巻取り装置。
【請求項１８】  前記制御装置は、前記供給手段の制御のための装置に動作的に接続されている請求項１７の巻取り装置。
【請求項１９】  前記グリップ手段と制御されて回転させるための手段との間には、これらの間で伝えられる力を検出するための装置が設けられており、この装置は、コアを回転させるための手段の制御された動作のための装置に動作的に接続されている請求項１５ないし１８のいずれか１の巻取り装置。
【請求項２０】  独立した手段が、コアの各端部の制御された回転のために設けられている請求項１ないし１９のいずれか１の巻取り装置。
【請求項２１】  前記コアを回転させるための独立した手段は、これらの同期された動作もしくは位相が異なる動作のための装置に動作的に接続されている請求項２０の巻取り装置。
【請求項２２】  前記ウエブ材の巻取りの間、コアを軸方向に引っ張るための手段を具備する請求項１ないし２１のいずれか１の巻取り装置。
【請求項２３】  前記コアを軸方向に引っ張るための手段は、コアの両端部に面し、動作路の横方向に配設されたガイド上で摺動可能な、互いに対向したキャリッジを有する請求項２２の巻取り装置。
【請求項２４】  前記対向したキャリッジの各々は、制御される駆動手段に動作的に接続されている請求項２３の巻取り装置。
【請求項２５】  各キャリッジの前記駆動手段は、モータに動作的に接続され、制御された方法で動作される空圧もしくは液圧シリンダー／ピストンユニットを有する請求項２４の巻取り装置。
【請求項２６】  各キャリッジの前記駆動手段は、モータに動作的に接続され、制御された方法で動作されるラック／ピニオンユニットを有する請求項２４の巻取り装置。
【請求項２７】  各キャリッジの前記駆動手段は、モータに動作的に接続され、制御された方法で動作される往復動可能なボールスクリューを有する請求項２４の巻取り装置。
【請求項２８】  前記コアをグリップするための手段は、前記コアを移動させる手段に動作的に接続されている請求項１ないし２７のいずれか１の巻取り装置。
【請求項２９】  前記移動させる手段は、コアの両端部の近くで互いに面するように配設されたキャリッジを有し、これらキャリッジは、クロスされたガイドを有するテーブルの方法で、動作路に平行もしくは垂直に位置された移動軸に沿って可動である請求項２８の巻取り装置。
【請求項３０】  前記キャリッジの各々は、少なくとも１つの駆動装置により、前記移動軸に沿って移動される請求項２９の巻取り装置。
【請求項３１】  各キャリッジの前記少なくとも１つの駆動装置は、少なくとも１つの空圧もしくは液圧シリンダー／ピストンユニットを有する請求項３０の巻取り装置。
【請求項３２】  各キャリッジの少なくとも１つの前記駆動手段は、モータに動作的に接続された少なくとも１つのラック／ピニオンユニットを有する請求項３０の巻取り装置。
【請求項３３】  各キャリッジの少なくとも１つの前記駆動手段は、モータに動作的に接続された少なくとも１つのボールスクリューを有する請求項３０の巻取り装置。
【請求項３４】  各キャリッジは、制御された方法で、移動軸の少なくとも１つに沿って移動される請求項３０ないし３３のいずれか１の巻取り装置。
【請求項３５】  独立した手段が、コアの各端部を動かすために設けられている請求項１ないし３４のいずれか１の巻取り装置。
【請求項３６】  前記コアを動かすための手段の各々は、これらの同期された動作もしくは位相が異なる動作のための制御装置に動作的に接続されている請求項３５の巻取り装置。
【請求項３７】  ２つの独立したグリップ手段が設けられ、これらグリップ手段は、同じ側、即ち、巻取り装置の側壁でコアの両端に関連付けられる請求項１ないし３６のいずれか１の巻取り装置。
【請求項３８】  双独立手段が、コアの制御された回転のために設けられており、同じ側、即ち、巻取り装置の側壁でコアの両端に関連付けられる請求項１ないし３７のいずれか１の巻取り装置。
【請求項３９】  双独立手段が、コアを回転させるために設けられており、同じ側、即ち、巻取り装置の側壁でコアの両端に関連付けられる請求項１ないし３８のいずれか１の巻取り装置。
【請求項４０】  前記巻取りドラムに支持されたコアに影響を与えるための手段が、巻取り装置の各側に対して設けられている請求項１ないし３９の巻取り装置。
【請求項４１】  前記供給手段は、制御された方法で動作されるモータに動作的に接続された、ウエブ材を引っ張るためのドラムを有する請求項１ないし４０のいずれか１の巻取り装置。
【請求項４２】  モータが、巻取りドラム並びにグリップ手段に対しての同期もしくは異なる位相での引張りドラムと、巻取りドラム上に支持されたコアを移動させる手段と、回転させる手段と、影響を与える手段との動作のための制御装置に、接続されている請求項４１の巻取り装置。
【請求項４３】  前記引張りドラムとモータとの間には、これらの間で伝えられる力を検出するための装置が設けられており、この装置は、モータを制御するための装置に動作的に接続されている請求項４１の巻取り装置。
【請求項４４】  前記ウエブ材の厚さを検出するための手段が設けられている請求項１ないし４３のいずれか１の巻取り装置。
【請求項４５】  前記ウエブ材の厚さを検出するための手段が、上にウエブ材を巻き取るようにコアの移動を制御するための装置に動作的に接続されている請求項１ないし４４のいずれか１の巻取り装置。
【請求項４６】  前記供給装置は、巻取りドラムの近くに配置された拘束手段方向にコアを搬送するシュートを有し、これは受取り位置を規定している請求項１ないし４５のいずれか１の巻取り装置。
【請求項４７】  前記巻取りドラムに支持されたたコアに影響を与えるための手段は、少なくとも１つの弾性装置を有する請求項１ないし４６のいずれか１の巻取り装置。
【請求項４８】  前記巻取りドラムに支持されたコアに影響を与えるための手段は、ばねもしくは液圧装置を有する請求項４７の巻取り装置。
【請求項４９】  前記動作路は、真っ直ぐである請求項１ないし４９のいずれか１の巻取り装置。
【請求項５０】  ウエブ材が、所定の供給速度で供給され、
前記ウエブ材が、前記供給速度に実質的に対応した速度で、巻取り領域内で案内され、
コアが支持され、所定の周速度を有するように回転され、
前記コアが、ウエブ材を受け取るためのウエブ材に対するコアの最初の接触位置から、ウエブ材がロールを形成するようにコア上に巻き取られる増加位置を通って最終巻取り位置へと続く、コアの受取り位置から始まりロールの解放位置で終わる動作路に沿って移動される方法において、
前記コアが、形成されるロールが、前記動作路の増加部分で巻取りドラムに支持され続けながら、コア上にウエブ材が巻き取られるように影響され、また、前記グリップ手段は、コアが動作路に位置しているときにコアの両端部と関連される1対の対向したピンを有することを特徴とするロールを形成するように、コア上にウエブ材を巻き取らせる方法。
【請求項５１】  前記コアは、ロールが、前記動作路の解放位置で充分に巻かれたときに、解放される請求項５０のウエブ材を巻き取らせる方法。
【請求項５２】  前記コアが解放される前に、コアの回転が、供給されているウエブ材からコアに既に巻き取られているウエブ材を分離するように巻取りドラムからコアが急激に離れるように移動されるのとは、別並びに／もしくは同じに、加速される請求項５１のウエブ材を巻き取らせる方法。
【請求項５３】  前記分離は、引き裂きにより生じる請求項５２のウエブ材を巻き取らせる方法。
【請求項５４】  形成されているロールは、更なる第2の巻取りドラムに支持されながら、影響される請求項５０ないし５３のいずれか１のウエブ材を巻き取らせる方法。
【請求項５５】  前記動作路の増大部分に沿うコアの前方への移動は、巻取りドラムに支持されて形成されているロールに影響を与えるように、制御される請求項５０ないし５４のいずれか１のウエブ材を巻き取らせる方法。
【請求項５６】  前記コアは、動作路に沿って移動されるようにコアが受け取られる受取り位置に位置されている請求項５０ないし５５のいずれか１のウエブ材を巻き取らせる方法。
【請求項５７】  前記コアは、これの両端部が支持されることにより、受取り位置から受け取られる請求項５６のウエブ材を巻き取らせる方法。
【請求項５８】  前記コアの両端部は、同期された方法もしくは位相の異なる方法で互いに独立して回転される請求項５０ないし５７のいずれか１のウエブ材を巻き取らせる方法。
【請求項５９】  前記コアの反れ振動が、コアの両端部の回転速度の相違により、制御かつ独立した方法で、コアの両端部の回転により補償される請求項５０ないし５８のいずれか１のウエブ材を巻き取らせる方法。
【請求項６０】  前記コアには、ウエブ材の巻取り工程の間、軸方向の引っ張り力が作用される請求項５０ないし５９のいずれか１のウエブ材を巻き取らせる方法。
【請求項６１】  前記コアの両端部は、同期された方法もしくは位相の異なる方法で互いに独立して動作路に沿って移動される請求項５０ないし６０のいずれか１のウエブ材を巻き取らせる方法。
【請求項６２】  前記コアへのウエブ材の巻取りの非均一性が、動作路に沿うコアの両端部の独立した移動により補償される請求項５０ないし６１のいずれか１のウエブ材を巻き取らせる方法。
【請求項６３】  前記コアは、これがウエブ材と接触する前に、コアの周速度が、コアに巻き取られるように受け取られるウエブ材の移動速度と実質的に対応するように、回転される請求項５０ないし６２のいずれか１のウエブ材を巻き取らせる方法。
【請求項６４】  前記回転の速度は、コアへのウエブ材の巻取りの間、巻取り工程全体に渡って、形成されるロールの所定の周速度を維持するように、減じられる請求項５０ないし６３のいずれか１のウエブ材を巻き取らせる方法。
【請求項６５】  前記ウエブ材を所定の速度供給するようにウエブ材に伝えられる力が検出される請求項５０ないし６５のいずれか１のウエブ材を巻き取らせる方法。
【請求項６６】  前記ウエブ材の厚さが検出される請求項５０ないし６５のいずれか１のウエブ材を巻き取らせる方法。
【請求項６７】  増大路に沿うコアの移動並びに／もしくは回転は、前記検出された厚さを含む動作パラメータに基づいて制御される請求項６６のウエブ材を巻き取らせる方法。
【請求項６８】  前記動作路は、真っ直ぐである請求項５０ないし６７のいずれか１の方法。